(57)【特許請求の範囲】
【請求項１】
入側に大きい夾雑物を捕集するための前側スクリーンが設けられると共に、集砂用の砂溜りと、砂溜りに溜まった砂等を集めるポンプピットと、ポンプピットに溜まった砂を吸上げる揚砂ポンプとを備えた沈砂池設備において、
ポンプピットに、ポンプピットのほぼ全面を覆うように揚砂ポンプ閉塞防止用スクリーンを設け、
揚砂ポンプ閉塞防止用スクリーンをストライプ状とし、
揚砂ポンプ閉塞防止用スクリーンのストライプの目幅を、揚砂ポンプの通過口径よりも小さくしたことを特徴とする沈砂池設備。
【請求項２】
揚砂ポンプ閉塞防止用スクリーンのストライプの目幅を、砂溜りの出側に設けられる後側スクリーンの目幅よりも大きくしたことを特徴とする請求項１記載の沈砂池設備。
【請求項３】
揚砂ポンプ閉塞防止用スクリーンのストライプの向きをポンプピットへの水の流れと交差する方向としたことを特徴とする請求項１または２記載の沈砂池設備。
【請求項４】
砂溜りの砂等を集めてポンプピットへ送る中央トラフおよび凹溝が砂溜りに設けられ、中央トラフが流入水の流れ方向へ延び、凹溝が中央トラフに十字状に交差して、中央トラフと凹溝との交点部分にポンプピットが設けられると共に、揚砂ポンプ閉塞防止用スクリーンの設置高さを、ポンプピットにおける中央トラフの接続高さと凹溝の接続高さの中間としたことを特徴とする請求項１ないし３のいずれか１項に記載の沈砂池設備。
【請求項５】
揚砂ポンプ閉塞防止用スクリーンを、複数に分割したことを特徴とする請求項１ないし４のいずれか１項に記載の沈砂池設備。
【請求項６】
揚砂ポンプに隣接する揚砂ポンプ閉塞防止用スクリーン片を、揚砂ポンプに対して結合分離可能としたことを特徴とする請求項５記載の沈砂池設備。
【請求項７】
揚砂ポンプ閉塞防止用スクリーンが、脚部を有してポンプピットの底面に自立可能であることを特徴とする請求項１ないし６のいずれか１項に記載の沈砂池設備。
【請求項８】
揚砂ポンプ閉塞防止用スクリーンの周縁部が、ポンプピットの周縁部に対し、揚砂ポンプ閉塞防止用スクリーンのストライプの目幅よりも狭い間隙を有していることを特徴とする請求項１ないし７のいずれか１項に記載の沈砂池設備。
【発明の詳細な説明】
【０００１】
【発明の属する技術分野】
この発明は、沈砂池設備に関するものである。
【０００２】
【従来の技術】
一般に、下水処理施設には、下水処理を行う下水処理設備と自然流下で下水処理設備に送水することが不可能な際に設けられるポンプ場設備とがある。このうちポンプ場設備においては、汚水を下水処理施設に送水する汚水ポンプ場設備と、雨水を河川に放流する雨水ポンプ場設備とがある。
【０００３】
そして、雨水ポンプ場設備は、幹線からの雨水等の流入水を受入れる流入渠と、流入渠よりも一段低く掘り下げられて流入渠を通過した流入水から砂等を沈降させる沈砂池と、沈砂池で砂等を除去した流入水を汲み上げる主ポンプを設置するポンプ井とを備えている。
【０００４】
【発明が解決しようとする課題】
しかしながら、このような従来の雨水ポンプ場設備の沈砂池設備では、以下のような問題があった。
【０００５】
即ち、流入渠の入側には、大きい夾雑物を捕集するための前側スクリーンが設けられているが、この前側スクリーンは、縦ストライプ状（縦縞状）のものであるため、長物の夾雑物が縦になって前側スクリーンを通過することがあり、この場合に、長物の夾雑物が沈砂池に設けられた揚砂ポンプにまで到達してしまい、揚砂ポンプに閉塞を引き起こすおそれがあった。
【０００６】
そこで、本発明の目的は、上記の問題点を解消し、揚砂ポンプの閉塞を防止し得るようにした沈砂池設備を提供することにある。
【０００７】
【課題を解決するための手段】
上記課題を解決するために、請求項１に記載された発明では、入側に大きい夾雑物を捕集するための前側スクリーンが設けられると共に、集砂用の砂溜りと、砂溜りに溜まった砂等を集めるポンプピットと、ポンプピットに溜まった砂等を吸上げる揚砂ポンプとを備えた沈砂池設備において、ポンプピットに、ポンプピットのほぼ全面を覆うように揚砂ポンプ閉塞防止用スクリーンを設けた沈砂池設備を特徴としている。
また、揚砂ポンプ閉塞防止用スクリーンをストライプ状としたことを特徴としている。
更に、揚砂ポンプ閉塞防止用スクリーンのストライプの目幅を、揚砂ポンプの通過口径よりも小さくしたことを特徴としている。
【０００８】
このように構成された請求項１にかかる発明によれば、長物の夾雑物が縦になって前側に設けられたスクリーンの目を通過したような場合、長物の夾雑物がポンプピットの中へ入り込むと、砂を吸上げる際に、揚砂ポンプが長物の夾雑物を吸込んで閉塞を起こすおそれがあるが、ポンプピットに、ポンプピットのほぼ全面を覆うように揚砂ポンプ閉塞防止用スクリーンを設けているので、長物の夾雑物等がポンプピットの中へ入り込むのが防止され、揚砂ポンプが閉塞を起こすことを未然に防止することができる。
また、揚砂ポンプ閉塞防止用スクリーンを、網目状や格子状等とすると、揚砂ポンプ閉塞防止用スクリーンで目詰まりがおきるおそれがあるが、揚砂ポンプ閉塞防止用スクリーンをストライプ状（縞目状）とすることにより、揚砂ポンプ閉塞防止用スクリーンでの目詰まりを防止することができる。
更に、揚砂ポンプ閉塞防止用スクリーンのストライプの目幅を、揚砂ポンプの通過口径よりも小さくすることにより、揚砂ポンプで吸込めないような大きめの夾雑物を確実に捕集することができる。
【００１１】
請求項２に記載された発明では、揚砂ポンプ閉塞防止用スクリーンのストライプの目幅を、砂溜りの出側に設けられる後側スクリーンの目幅よりも大きくした請求項１記載の沈砂池設備を特徴としている。
【００１２】
このように構成された請求項２にかかる発明によれば、揚砂ポンプ閉塞防止用スクリーンのストライプの目幅を、砂溜りの出側に設けられる後側スクリーンの目幅よりも大きくなるようにすることにより、揚砂ポンプで支障なく吸込める程度の小さな夾雑物を通すことができるので、揚砂ポンプ閉塞防止用スクリーンの目詰まりを確実に防止することができる。よって、揚砂ポンプ閉塞防止用スクリーンのメンテナンス回数を削減することができる。
【００１３】
請求項３に記載された発明では、揚砂ポンプ閉塞防止用スクリーンのストライプの向きをポンプピットへの水の流れと交差する方向とした請求項１または２記載の沈砂池設備を特徴としている。
【００１４】
このように構成された請求項３にかかる発明によれば、ポンプピットへの水の流れと交差する方向とすることにより、上記水に乗って流れて来る夾雑物に対する捕集効率を一層上げることができる。
【００１５】
請求項４に記載された発明では、砂溜りの砂等を集めてポンプピットへ送る中央トラフおよび凹溝が砂溜りに設けられ、中央トラフが流入水の流れ方向へ延び、凹溝が中央トラフに十字状に交差して、中央トラフと凹溝との交点部分にポンプピットが設けられると共に、揚砂ポンプ閉塞防止用スクリーンの設置高さを、ポンプピットにおける中央トラフの接続高さと凹溝の接続高さの中間とした請求項１ないし３のいずれか１項に記載の沈砂池設備を特徴としている。
【００１６】
このように構成された請求項４にかかる発明によれば、揚砂ポンプ閉塞防止用スクリーンの設置高さを、ポンプピットにおける中央トラフの接続高さと凹溝の接続高さの中間とすることにより、ポンプピットにおける揚砂ポンプが砂を吸込むのに必要な容積を揚砂ポンプ閉塞防止用スクリーンの下方に確保することができる。また、ポンプピットへの流入量が最も多い中央トラフからの水を上から受けることとなるので、揚砂ポンプ閉塞防止用スクリーンが水圧でズレたりするのを防止することができる。
【００１７】
請求項５に記載された発明では、揚砂ポンプ閉塞防止用スクリーンを、複数に分割した請求項１ないし４のいずれか１項に記載の沈砂池設備を特徴としている。
【００１８】
このように構成された請求項５にかかる発明によれば、揚砂ポンプ閉塞防止用スクリーンを、複数に分割することにより、安価に製作することが可能となる。また、メンテナンス時の揚砂ポンプ閉塞防止用スクリーンの着脱を容易化することができる。
【００１９】
請求項６に記載された発明では、揚砂ポンプに隣接する揚砂ポンプ閉塞防止用スクリーン片を、揚砂ポンプに対して結合可能とした請求項５記載の沈砂池設備を特徴としている。
【００２０】
このように構成された請求項６にかかる発明によれば、揚砂ポンプに隣接する揚砂ポンプ閉塞防止用スクリーン片を、揚砂ポンプに対して結合可能とすることにより、揚砂ポンプ閉塞防止用スクリーン片を揚砂ポンプと一体的に取り扱うことが可能となる。特に、揚砂ポンプの側部に取付けたほぼＬ字型の係止部材で揚砂ポンプ閉塞防止用スクリーンを下方から係止し得るようにすることにより、揚砂ポンプのメンテナンス時に揚砂ポンプ閉塞防止用スクリーン片を揚砂ポンプと一体的に引き上げることが可能となると共に、揚砂ポンプ閉塞防止用スクリーンのみのメンテナンス時にも揚砂ポンプ閉塞防止用スクリーン片を揚砂ポンプから分離して取外すことが可能となる。
【００２１】
請求項７に記載された発明では、揚砂ポンプ閉塞防止用スクリーンが、脚部を有してポンプピットの底面に自立可能である請求項１ないし６のいずれか１項に記載の沈砂池設備を特徴としている。
【００２２】
このように構成された請求項７にかかる発明によれば、揚砂ポンプ閉塞防止用スクリーンを、脚部でポンプピットの底面に自立させることにより、揚砂ポンプ閉塞防止用スクリーンのポンプピットへの設置を容易化することができると共に、脚部により、揚砂ポンプ閉塞防止用スクリーンの設置高さを容易に設定することができる。
【００２３】
請求項８に記載された発明では、揚砂ポンプ閉塞防止用スクリーンの周縁部が、ポンプピットの周縁部に対し、揚砂ポンプ閉塞防止用スクリーンのストライプの目幅よりも狭い間隙を有している請求項１ないし７のいずれか１項に記載の沈砂池設備を特徴としている。
【００２４】
このように構成された請求項８にかかる発明によれば、揚砂ポンプ閉塞防止用スクリーンの周縁部が、ポンプピットの周縁部に対し、揚砂ポンプ閉塞防止用スクリーンのストライプの目幅よりも狭い間隙を有しているので、揚砂ポンプ閉塞防止用スクリーンの周縁部に砂が堆積することを防止することができる。
【００２５】
【発明の実施の形態】
以下、本発明の具体的な実施の形態について、図示例と共に説明する。
【００２６】
図１〜図６は、この発明の実施の形態を示すものである。
【００２７】
まず、構成を説明すると、雨水ポンプ場設備は、例えば、図１、図２に示すように、幹線１からの雨水等を受入れる流入渠２と、流入渠２よりも一段低く掘り下げられて流入渠２を通過した雨水から砂等を沈降させる沈砂池３と、沈砂池３で砂等を除去した雨水を汲み上げる主ポンプを設置するポンプ井４とを備えている。
【００２８】
上記した流入渠２の入側には、流入ゲート５、および、大きい夾雑物を捕集する前側スクリーン６が設けられている。また、沈砂池３とポンプ井４との間には、小さい夾雑物を捕集する後側スクリーン７、および、流出ゲート８が設けられている。このうち、前側スクリーン６は目幅が約１００ｍｍ程度の粗目の縦ストライプ状（縦縞状）となっている。また、後側スクリーン７は目幅が２５ｍｍ〜５０ｍｍ程度の細目の縦ストライプ状（縦縞状）となっている。
【００２９】
上記の流入渠２は、ほぼ水平で平坦な底面１０を有すると共に、入側に対して出側が拡がる漸拡形状部１１，１２を例えば二段備えている。そして、流入渠２における漸拡形状部１１，１２間の平行部１３から沈砂池３にかけて、流入渠２および沈砂池３を複数の流路に仕切る複数の仕切壁１４が設けられている。
【００３０】
なお、流入渠２を設けないようにすることもできるが、流入渠２を設けないと、沈砂池３が相当大規模なものとなってしまうので、沈砂池３の規模を縮小するために、流入渠２は基本的に設けられるようになっている。
【００３１】
上記の沈砂池３は、各流路に、それぞれ、集砂用の砂溜り１５と、ポンプピット１６とを集砂設備として備えている。
【００３２】
砂溜り１５は、例えば、図３に示すように、流入水の流れ方向１７へ延びる中央トラフ１８と、流れ方向１７と直交する方向へ延びて中央トラフ１８に十文字状に交差する凹溝１９とによって、前後左右の４つの区画に仕切られている。そして、中央トラフ１８と凹溝１９との交点部分にポンプピット１６が設けられている。なお、ポンプピット１６における凹溝１９の接続位置は、中央トラフ１８との接続位置よりも低くなっている。中央トラフ１８および凹溝１９には高い位置に砂をポンプピット１６へ向けて流下させる集砂ノズル２０，２１が備えられている。
【００３３】
砂溜り１５の各区画は、平面視ほぼ長方形状を呈しており、ポンプピット１６側の頂点１５ａが最も低く、ポンプピット１６と対角に位置する頂点１５ｂが最も高く、これら２つの頂点と隣接する残る２つの頂点１５ｃ，１５ｄが中間高さとなる傾斜面となっている。砂溜り１５の各区画には、上記流入水の流れ方向１７に対し所要のピッチで、流れ方向１７と直交する方向へ延びて凹溝１９に合流する小トラフ２２が複数本設けられている。また、小トラフ２２間の位置で且つ中央トラフ１８と反対側の位置には傾斜面に溜まった砂を中央トラフ１８へ向けて流下させる集砂ノズル２３が備えられている。
【００３４】
ポンプピット１６には、揚砂ポンプ２５が揚砂設備として設けられている。また、ポンプピット１６には、ポンプピット１６に溜まった砂を揚砂ポンプ２５へ吸入させるための特に図示しないピット集砂ノズルが設けられている。
【００３５】
そして、ポンプピット１６では、揚砂ポンプ２５は特に図示しない架台の上に載置保持されていると共に、サポート部材２９および上下方向へ延びるガイド３０を介して昇降自在とされており、メンテナンス時等に図示しないチェーン等を用いて吊上げ、吊り下げ可能となっている。なお、揚砂ポンプ２５の吐出口に接続される配管３３は、揚砂ポンプ２５に対して結合分離可能とされており、位置を固定されている。なお、揚砂ポンプ２５は、その吸入口３４をポンプピット１６の底面３５へ向けると共に、吸入口３４をポンプピット１６の底面３５から揚砂ポンプ２５の通過口径３６とほぼ等しい距離３７だけ離れた位置に配設されている。例えば、揚砂ポンプ２５の通過口径３６が１０５ｍｍである場合に、吸入口３４の底面３５からの距離３７は１００ｍｍとする。なお、ポンプピット１６には水位計３８が設けられている。
【００３６】
そして、図１の上記ポンプ井４には、図示しない揚水用の主ポンプと、沈砂池３の集砂ノズル２０，２１，２３へポンプ井４の滞留水を送給する集砂水ポンプ４０とが設けられている。
【００３７】
この実施の形態のものでは、図４〜図６に示すように、ポンプピット１６に、ポンプピット１６のほぼ全面を覆うように揚砂ポンプ閉塞防止用スクリーン５１を設ける。
【００３８】
この揚砂ポンプ閉塞防止用スクリーン５１は、網目状や格子状等ではなく、ストライプ状（縞目状）とする。
【００３９】
揚砂ポンプ閉塞防止用スクリーン５１のストライプの目幅５２は、揚砂ポンプ２５の通過口径３６よりも小さく、且つ出側に設けられる後側スクリーン７の目幅よりも大きくなるようにする。
【００４０】
例えば、揚砂ポンプ２５の通過口径３６が１０５ｍｍであり、後側スクリーン７の目幅２５ｍｍ〜５０ｍｍ程度である場合に、揚砂ポンプ閉塞防止用スクリーン５１の目幅５２を５５ｍｍとする。
【００４１】
そして、揚砂ポンプ閉塞防止用スクリーン５１のストライプの向きは、中央トラフ１８の延設方向、即ち、凹溝１９の延設方向と交差する方向とする。または、凹溝１９の延設方向、即ち、中央トラフ１８の延設方向と交差する方向としてもよい。即ち、揚砂ポンプ閉塞防止用スクリーン５１のストライプの向きを、中央トラフ１８または凹溝１９を流れてポンプピット１６へ入る水の流れと交差する方向とする。
【００４２】
揚砂ポンプ閉塞防止用スクリーン５１の設置高さ５３は、ポンプピット１６における中央トラフ１８の接続高さ５４と凹溝１９の接続高さ５５の中間とする。
【００４３】
例えば、ポンプピット１６における中央トラフ１８の接続高さ５４がポンプピット１６の底面３５から３００ｍｍであり、凹溝１９の接続高さ５５がポンプピット１６の底面３５から１００ｍｍである場合に、揚砂ポンプ閉塞防止用スクリーン５１の設置高さ５３を、ポンプピット１６の底面３５から１７５ｍｍとする。
【００４４】
また、揚砂ポンプ閉塞防止用スクリーン５１は、その中央部に、揚砂ポンプ２５および揚砂ポンプ２５の吐出口に接続される配管３３等の外形とほぼ合致する形状の孔部５６を有している。この孔部５６を通して揚砂ポンプ２５および配管３３等が配置されている。
【００４５】
そして、揚砂ポンプ閉塞防止用スクリーン５１は、複数（図４では５つの揚砂ポンプ閉塞防止用スクリーン片５１ａ〜５１ｅ）に分割されている。即ち、揚砂ポンプ閉塞防止用スクリーン５１は、揚砂ポンプ２５と配管３３との境界部分の近傍で中央トラフ１８の延設方向へ大きく２分割されている。且つ、揚砂ポンプ閉塞防止用スクリーン５１は、揚砂ポンプ２５の軸心位置で凹溝１９の延設方向へ大きく２分割されている。更に、水位計３８の周辺で部分的に分割されている。
【００４６】
揚砂ポンプ閉塞防止用スクリーン５１は、揚砂ポンプ２５に隣接する揚砂ポンプ閉塞防止用スクリーン片５１ａ，５１ｂを、揚砂ポンプ２５に対して結合可能とする。そのために、揚砂ポンプ２５の側部にほぼＬ字型の係止部材５７を取付け、係止部材５７で揚砂ポンプ閉塞防止用スクリーン５１を下方から係止し得るようにする。
【００４７】
また、各揚砂ポンプ閉塞防止用スクリーン片５１ａ〜５１ｅは、それぞれ脚部５８を有して、ポンプピット１６の底面３５に自立している。そして、これら脚部５８により、揚砂ポンプ閉塞防止用スクリーン５１の設置高さが設定される。
【００４８】
更に、揚砂ポンプ閉塞防止用スクリーン５１の周縁部７１は、ポンプピット１６の周縁部７２に対し、揚砂ポンプ閉塞防止用スクリーン５１のストライプの目幅よりも狭い間隙５９，６０を有している。そのために、揚砂ポンプ閉塞防止用スクリーン５１は、中央トラフ１８の延設方向の寸法６１をポンプピット１６の上記方向の寸法６２よりも僅かに小さくしている。また、揚砂ポンプ閉塞防止用スクリーン５１は、その凹溝１９の延設方向の寸法６３をポンプピット１６の上記方向の寸法６４よりも僅かに大きくして、凹溝１９のポンプピット１６との接続部に一部重合させると共に、脚部５８を所要の高さにして、揚砂ポンプ閉塞防止用スクリーン５１を上記接続部から上方へ浮せるようにしている。
【００４９】
なお、揚砂ポンプ閉塞防止用スクリーン５１は、図６に示すように、入側６５が狭く、出側６６が広い断面形状を有している。
【００５０】
次に、この実施の形態の作用について説明する。
【００５１】
合流式下水道においては、降雨時に図示しない幹線及び流入渠に設置されている堰をオーバーフローした雨水が雨水ポンプ場設備に流入する。分流式下水道においては、降雨時に雨水ポンプ場設備に流入する。
【００５２】
雨水ポンプ場設備では、幹線１からの雨水等の流入水を流入渠２で受入れ、流入渠２を通過した流入水中の砂等を沈砂池３で沈降させ、沈砂池３で砂等を除去した雨水をポンプ井４で主ポンプにより汲み上げる。
【００５３】
この際、大きな夾雑物は前側スクリーン６で捕集され、小さな夾雑物は後側スクリーン７で捕集される。
【００５４】
そして、沈砂池３に堆積した砂等を除去する場合、流入ゲート５、流出ゲート８を閉じ、ポンプ井４に滞留した水を集砂水ポンプ４０で汲み上げて、沈砂池３の集砂ノズル２０，２１，２３へ送給し、集砂ノズル２０，２１，２３から噴射される水の勢いで、砂溜り１５、小トラフ２２、中央トラフ１８および凹溝１９を介してポンプピット１６へと砂を集める。
【００５５】
そして、集砂水ポンプ４０で汲み上げた水の一部を図示しない集砂ノズルへ送給し、揚砂ポンプ２５を駆動することにより、ポンプピット１６の砂を吸入口３４から吸上げ、吐出口および配管３３を介して除去する。
【００５６】
長物の夾雑物が縦になって前側スクリーン６の目を通過したような場合、長物の夾雑物がポンプピット１６の中へ入り込むと、砂を吸上げる際に、揚砂ポンプ２５が長物の夾雑物を吸込んで閉塞を起こすおそれがあるが、この実施の形態では、ポンプピット１６に、ポンプピット１６のほぼ全面を覆うように揚砂ポンプ閉塞防止用スクリーン５１を設けているので、長物の夾雑物等がポンプピット１６の中へ入り込むのが防止され、揚砂ポンプ２５が閉塞を起こすことを未然に防止することができる。
【００５７】
揚砂ポンプ閉塞防止用スクリーン５１を、網目状や格子状等とすると、揚砂ポンプ閉塞防止用スクリーン５１で目詰まりがおきるおそれがあるが、揚砂ポンプ閉塞防止用スクリーン５１をストライプ状（縞目状）とすることにより、揚砂ポンプ閉塞防止用スクリーン５１での目詰まりを防止することができる。
【００５８】
揚砂ポンプ閉塞防止用スクリーン５１のストライプの目幅５２を、揚砂ポンプ２５の通過口径３６よりも小さくすることにより、揚砂ポンプ２５で吸込めないような大きめの夾雑物を確実に捕集することができる。また、揚砂ポンプ閉塞防止用スクリーン５１のストライプの目幅５２を、出側に設けられる後側スクリーン７の目幅よりも大きくなるようにすることにより、揚砂ポンプ２５で支障なく吸込める程度の小さな夾雑物を通すことができるので、揚砂ポンプ閉塞防止用スクリーン５１の目詰まりを確実に防止することができる。よって、揚砂ポンプ閉塞防止用スクリーン５１のメンテナンス回数を削減することができる。
【００５９】
そして、揚砂ポンプ閉塞防止用スクリーン５１のストライプの向きを、中央トラフ１８の延設方向、即ち、凹溝１９の延設方向と交差する方向としたり、凹溝１９の延設方向、即ち、中央トラフ１８の延設方向と交差する方向としたりすることにより、揚砂ポンプ閉塞防止用スクリーン５１の製作を容易化することができる。また、前側スクリーン６の目の方向との整合性が取れるので、夾雑物に対する捕集効率を上げることができる。特に、揚砂ポンプ閉塞防止用スクリーン５１のストライプの向きを、中央トラフ１８または凹溝１９を流れてポンプピット１６へ流入する水の流れと交差する方向とすることにより、上記水に乗って流れて来る夾雑物に対する捕集効率を一層上げることができる。
【００６０】
揚砂ポンプ閉塞防止用スクリーン５１の設置高さ５３を、ポンプピット１６における中央トラフ１８の接続高さ５４と凹溝１９の接続高さ５５の中間とすることにより、ポンプピット１６における揚砂ポンプ２５が砂を吸込むのに必要な容積を揚砂ポンプ閉塞防止用スクリーン５１の下方に確保することができる。また、ポンプピット１６への流入量が最も多い中央トラフ１８からの水を上から受けることとなるので、揚砂ポンプ閉塞防止用スクリーン５１が水圧でズレたりするのを防止することができる。
【００６１】
揚砂ポンプ閉塞防止用スクリーン５１を、複数に分割することにより、安価に製作することが可能となる。また、メンテナンス時の揚砂ポンプ閉塞防止用スクリーン５１の着脱を容易化することができる。
【００６２】
揚砂ポンプ２５に隣接する揚砂ポンプ閉塞防止用スクリーン片５１ａ，５１ｂを、揚砂ポンプ２５に対して結合可能とすることにより、揚砂ポンプ閉塞防止用スクリーン片５１ａ，５１ｂを揚砂ポンプ２５と一体的に取り扱うことが可能となる。特に、揚砂ポンプ２５の側部に取付けたほぼＬ字型の係止部材５７で揚砂ポンプ閉塞防止用スクリーン５１を下方から係止し得るようにすることにより、揚砂ポンプ２５のメンテナンス時に揚砂ポンプ閉塞防止用スクリーン片５１ａ，５１ｂを揚砂ポンプ２５と一体的に引き上げることが可能となると共に、揚砂ポンプ閉塞防止用スクリーン５１のみのメンテナンス時にも揚砂ポンプ閉塞防止用スクリーン片５１ａ，５１ｂを揚砂ポンプ２５から分離して取外すことが可能となる。
【００６３】
また、揚砂ポンプ閉塞防止用スクリーン片５１ａ〜５１ｅを、脚部５８でポンプピット１６の底面３５に自立させることにより、揚砂ポンプ閉塞防止用スクリーン５１のポンプピット１６への設置を容易化することができると共に、脚部５８により、揚砂ポンプ閉塞防止用スクリーン５１の設置高さを容易に設定することができる。
【００６４】
更に、揚砂ポンプ閉塞防止用スクリーン５１の周縁部７１が、ポンプピット１６の周縁部７２に対し、揚砂ポンプ閉塞防止用スクリーン５１の目幅よりも狭い間隙５９，６０を有しているので、揚砂ポンプ閉塞防止用スクリーン５１の周縁部７１に砂が堆積することを防止することができる。
。
【００６５】
揚砂ポンプ閉塞防止用スクリーン５１は、図６に示すように、入側６５が狭く、出側６６が広い断面形状を有しているので、入側６５よりも出側６６の圧力が低くなり、以て、目詰まりしにくい構造とすることができる。
【００６６】
【変形例】
図７は実施の形態の変形例であり、揚砂ポンプ閉塞防止用スクリーン５１の中央トラフ１８に対応する部分の目５１ｆを一部、中央トラフ１８の延設方向と交差する方向へ向けるようにしたものである。
【００６７】
このように、揚砂ポンプ閉塞防止用スクリーン５１の中央トラフ１８に対応する部分の目５１ａを一部、中央トラフ１８の延設方向と交差する方向へ向けることにより、中央トラフ１８から流れてくる夾雑物に対する揚砂ポンプ閉塞防止用スクリーン５１の捕集効率を一層上げることができる。
【００６８】
【発明の効果】
以上説明してきたように、請求項１の発明によれば、長物の夾雑物が縦になって前側に設けられたスクリーンの目を通過したような場合、長物の夾雑物がポンプピットの中へ入り込むと、砂を吸上げる際に、揚砂ポンプが長物の夾雑物を吸込んで閉塞を起こすおそれがあるが、ポンプピットに、ポンプピットのほぼ全面を覆うように揚砂ポンプ閉塞防止用スクリーンを設けているので、長物の夾雑物等がポンプピットの中へ入り込むのが防止され、揚砂ポンプが閉塞を起こすことを未然に防止することができる。
【００６９】
また、揚砂ポンプ閉塞防止用スクリーンを、網目状や格子状等とすると、揚砂ポンプ閉塞防止用スクリーンで目詰まりがおきるおそれがあるが、揚砂ポンプ閉塞防止用スクリーンをストライプ状（縞目状）とすることにより、揚砂ポンプ閉塞防止用スクリーンでの目詰まりを防止することができる。
【００７０】
更に、揚砂ポンプ閉塞防止用スクリーンのストライプの目幅を、揚砂ポンプの通過口径よりも小さくすることにより、揚砂ポンプで吸込めないような大きめの夾雑物を確実に捕集することができる。
請求項２の発明によれば、揚砂ポンプ閉塞防止用スクリーンのストライプの目幅を、砂溜りの出側に設けられる後側スクリーンの目幅よりも大きくなるようにすることにより、揚砂ポンプで支障なく吸込める程度の小さな夾雑物を通すことができるので、揚砂ポンプ閉塞防止用スクリーンの目詰まりを確実に防止することができる。よって、揚砂ポンプ閉塞防止用スクリーンのメンテナンス回数を削減することができる。
【００７１】
請求項３の発明によれば、ポンプピットへの水の流れと交差する方向とすることにより、上記水に乗って流れて来る夾雑物に対する捕集効率を一層上げることができる。
【００７２】
請求項４の発明によれば、揚砂ポンプ閉塞防止用スクリーンの設置高さを、ポンプピットにおける中央トラフの接続高さと凹溝の接続高さの中間とすることにより、ポンプピットにおける揚砂ポンプが砂を吸込むのに必要な容積を揚砂ポンプ閉塞防止用スクリーンの下方に確保することができる。また、ポンプピットへの流入量が最も多い中央トラフからの水を上から受けることとなるので、揚砂ポンプ閉塞防止用スクリーンが水圧でズレたりするのを防止することができる。
【００７３】
請求項５の発明によれば、揚砂ポンプ閉塞防止用スクリーンを、複数に分割することにより、安価に製作することが可能となる。また、メンテナンス時の揚砂ポンプ閉塞防止用スクリーンの着脱を容易化することができる。
【００７４】
請求項６の発明によれば、揚砂ポンプに隣接する揚砂ポンプ閉塞防止用スクリーン片を、揚砂ポンプに対して結合可能とすることにより、揚砂ポンプ閉塞防止用スクリーン片を揚砂ポンプと一体的に取り扱うことが可能となる。特に、揚砂ポンプの側部に取付けたほぼＬ字型の係止部材で揚砂ポンプ閉塞防止用スクリーンを下方から係止し得るようにすることにより、揚砂ポンプのメンテナンス時に揚砂ポンプ閉塞防止用スクリーン片を揚砂ポンプと一体的に引き上げることが可能となると共に、揚砂ポンプ閉塞防止用スクリーンのみのメンテナンス時にも揚砂ポンプ閉塞防止用スクリーン片を揚砂ポンプからして取外すことが可能となる。
【００７５】
請求項７の発明によれば、揚砂ポンプ閉塞防止用スクリーンを、脚部でポンプピットの底面に自立させることにより、揚砂ポンプ閉塞防止用スクリーンのポンプピットへの設置を容易化することができると共に、脚部により、揚砂ポンプ閉塞防止用スクリーンの設置高さを容易に設定することができる。
【００７６】
請求項８の発明によれば、揚砂ポンプ閉塞防止用スクリーンの周縁部が、ポンプピットの周縁部に対し、揚砂ポンプ閉塞防止用スクリーンのストライプの目幅よりも狭い間隙を有しているので、揚砂ポンプ閉塞防止用スクリーンの周縁部に砂が堆積することを防止することができる、という実用上有益な効果を発揮し得る。
【図面の簡単な説明】
【図１】本発明の実施の形態の側方断面図である。
【図２】図１の平面図である。
【図３】図１の沈砂池の概略斜視図である。
【図４】図３のポンプピットの平面図である。
【図５】図４の側方断面図である。
【図６】図５の揚砂ポンプ閉塞防止用スクリーンの部分拡大側方断面図である。
【図７】実施の形態の変形例にかかる図４と同様の平面図である。
【符号の説明】
３    沈砂池
６    前側スクリーン
１５  砂溜り
１６  ポンプピット
１８  中央トラフ
１９  凹溝
２５  揚砂ポンプ
３６  通過口径
５１  揚砂ポンプ閉塞防止用スクリーン
５１ａ  揚砂ポンプ閉塞防止用スクリーン片
５１ｂ  揚砂ポンプ閉塞防止用スクリーン片
５１ｃ  揚砂ポンプ閉塞防止用スクリーン片
５１ｄ  揚砂ポンプ閉塞防止用スクリーン片
５１ｅ  揚砂ポンプ閉塞防止用スクリーン片
５２  目幅
５３  設置高さ
５４  中央トラフの接続高さ
５５  凹溝の接続高さ
５７  係止部材
５８  脚部
５９  間隙
６０  間隙
７１  揚砂ポンプ閉塞防止用スクリーンの周縁部
７２  ポンプピットの周縁部
【図１】
0004156843.tif 000002
【図２】
0004156843.tif 000003
【図３】
0004156843.tif 000004
【図４】
0004156843.tif 000005
【図５】
0004156843.tif 000006
【図６】
0004156843.tif 000007
【図７】
0004156843.tif 000008